(57)【要約】      （修正有）【課題】身分証明書等の偽造防止方法を提供する。【解決手段】少なくとも１つの表外面４及び１つの裏外面６を有する本状の公文書２、特に身分証明書中に電子回路１４を組み込む方法と装置に関する。この場合、電子回路１４が、両外側４，６間で本状の公文書２の内部でこの公文書２に固定される。【選択図】図１
2005088569.tif 000002
【特許請求の範囲】
【請求項１】
本状の公文書（２）、特に少なくとも１つの表外面と１つの裏外面を有する身分証明書中に電子回路（１４）を組み込むための方法において、
電子回路（１４）が、これらの両外面（４，６）間で本状の公文書（２）内部でこの公文書（２）に固定されることを特徴とする方法。
【請求項２】
本状の公文書は、両外側（４，６）間に存在する少なくとも１つの内側（１０）を有する方法において、
電子回路（１４）は、少なくとも１つの内側（１０ａ；１０ｂ）に装着されることを特徴とする請求項１に記載の方法。
【請求項３】
電子回路（１４）は、公文書（２）の内部に固定され、少なくとも１つの内側  （１０ａ；１０ｂ）によって覆われ、特にこの内側（１０ａ；１０ｂ）に接合されることを特徴とする請求項２に記載の方法。
【請求項４】
電子回路（１４）は、少なくとも１つの内側（１０ａ；１０ｂ）に接着されることを特徴とする請求項２又は３に記載の方法。
【請求項５】
本状の公文書（２）が少なくとも２つの内側（１０）を有する方法において、
電子回路（１４）は、隣接した２つの内側（１０ａ；１０ｂ）間でそれぞれこれらの隣接した内側に固定されることを特徴とする請求項２〜４のいずれか１項に記載の方法。
【請求項６】
電子回路（１４）は、隣接した２つの内側（１０ａ，１０ｂ）に接着される請求項４又は５に記載の方法。
【請求項７】
本状の公文書（２）の外側（４，６）及び内側（１０）は、接合手段（１２）、特に綴目によって接合される方法において、
電子回路（１４）は、本状の公文書（２）の中央に配置されることを特徴とする請求項５又は６に記載の方法。
【請求項８】
全紙（２２）が内側（１０）を製造するために供給され、これらの全紙は、同一方向に向いて相並んでいる少なくとも２つの紙片（２２ａ，２２ｂ）を有し、これらの紙片（２２ａ，２２ｂ）の縦寸法及び横寸法が、そこから製造すべき内側（１０）の寸法に少なくとも一致する方法において、
−電子回路（１４）を全紙（２２）の一方の第１紙片（２２ａ）上に置き、そこに固定すること、
−そして、この全紙（２２）の隣接した第２紙片（２２ｂ）をこの全紙（２２）の第１紙片（２２ａ）に向けて折り畳むか、又はこの全紙（２２）の第１紙片  （２２ａ）をこの全紙（２２）の第２紙片（２２ｂ）に向けて折り畳み、これによって電子回路（１４）をこの第２紙片（２２ｂ）に固定するステップを特徴とする請求項５〜７のいずれか１項に記載の方法。
【請求項９】
電子回路（１４）を全紙（２２）の第１紙片（２２ａ）上に配置する前に、この全紙（２２）の第１紙片（２２ａ）が接着手段（２４）を有することを特徴とする請求項４又は８に記載の方法。
【請求項１０】
遅くとも全紙（２２）の第１紙片（２２ａ）を第２紙片（２２ｂ）上に折り畳む前に、特に電子回路（１４）を第１紙片（２２ａ）上に配置する直前に第２紙片（２２ｂ）が接着手段（２４）を有することを特徴とする請求項４，８又は９に記載の方法。
【請求項１１】
電子回路（１４）を全紙（２２）の第１紙片（２２ａ）上に配置する前に、この電子回路（１４）は、第１紙片（２２ａ）に接触可能な面の少なくとも一部に接着手段（２４）を有することを特徴とする請求項４，８，９又は１０に記載の方法。
【請求項１２】
遅くとも全紙（２２）の第１紙片（２２ａ）を第２紙片（２２ｂ）に向けて折り畳む前に、特に電子回路（１４）を第１紙片（２２ａ）上に配置する直前に、この電子回路（１４）は、第２紙片（２２ｂ）に接触可能な面の少なくとも一部に接着手段（２４）を有することを特徴とする請求項４，８，９，１０又は１１に記載の方法。
【請求項１３】
全紙（２２）は、多重シート（２０）に供給され、これらの多重シート（２０）は、本状の公文書（２）を製造するために個別シートに分割される方法において、
個別シートに分割する前に、電子回路（１４）が、多重シート（２０）の一番上の全紙（２２）の第１及び第２紙片（２２ａ，２２ｂ）に固定されることを特徴とする請求項８〜１２のいずれか１項に記載の方法。
【請求項１４】
電子回路は、マイクロチップ及び支持要素（１４）を有し、マイクロチップが、この支持要素中に設置されることを特徴とする請求項１〜１３のいずれか１項に記載の方法。
【請求項１５】
表外面（４）と裏外面（６）を有する本状の公文書（２）内に電子回路（１４）を組み込む装置において、電子回路（１４）を両外面（４，６）間に本状の公文書（２）の内部でこの公文書（２）に固定する固定手段を特徴とする装置。
【請求項１６】
本状の公文書（２）が両外面（４，６）間にある少なくとも１つの内側（１０）を有する装置において、
電子回路（１４）を少なくとも１つの内側（１０ａ，１０ｂ）に装着する固定手段が設けられていることを特徴とする請求項１５に記載の装置。
【請求項１７】
固定手段が、電子回路（１４）を公文書（２）の内側に固定し、少なくとも１つの内側（１０ａ，１０ｂ）を覆い、特に接合するように、この固定手段は形成されていることを特徴とする請求項１６に記載の装置。
【請求項１８】
固定手段は、電子回路（１４）を少なくとも１つの内側（１０ａ；１０ｂ）に接着する接着支持手段を有することを特徴とする請求項１６又は１７に記載の装置。
【請求項１９】
本状の公文書（２）が少なくとも２つの内側（１０ａ，１０ｂ）を有する装置において、
電子回路（１４）を固定する固定手段が、隣接した２つの内側（１０ａ，１０ｂ）間にそれぞれこれらの内側（１０ａ，１０ｂ）に構成されていることを特徴とする請求項１６〜１８のいずれか１項に記載の装置。
【請求項２０】
電子回路（１４）を隣接した２つの内側（１０ａ，１０ｂ）に接着する固定手段が形成されていることを特徴とする請求項１８又は１９に記載の装置。
【請求項２１】
本状の公文書（２）の内側（１０ａ，１０ｂ）が接合手段、特に綴目によって接合可能である装置において、
電子回路（１４）を本状の公文書（２）の中央に配置する固定手段が形成されていることを特徴とする請求項１９又は２０に記載の装置。
【請求項２２】
全紙（２２）が内側を製造するために供給可能であり、これらの全紙は、同一方向に相並んでいる少なくとも２つの紙片（２２ａ，２２ｂ）を有し、これらの紙片（２２ａ，２２ｂ）の縦寸法及び横寸法が、そこから製造すべき内側（１０）の寸法に少なくとも一致する装置において、
固定手段が、電子回路（１４）を全紙（２２）の第１紙片（２２ａ）上に配置して固定する第１手段，この全紙（２２）の隣接した第２紙片（２２ｂ）をこの全紙（２２）の第１紙片（２２ａ）上に折り畳むか又は第１紙片（２２ａ）を第２紙片（２２ｂ）上に折り畳み、電子回路（１４）を第２紙片（２２ｂ）に固定する第２手段を有することを特徴とする請求項１９〜２１のいずれか１項に記載の装置。
【請求項２３】
第１紙片（２２ａ）上に電子回路（１４）を配置する前に、全紙（２２）の第１紙片（２２ａ）に接触可能な電子回路（１４）の面上に接着手段（２４）を塗布する接着塗布手段が形成されていることを特徴とする請求項１８又は２２に記載の装置。
【請求項２４】
第１紙片（２２ａ）を第２紙片（２２ｂ）に向けて折り畳む前に、特に電子回路（１４）を第１紙片（２２ａ）上に配置する前に、全紙（２２）の第２紙片（２２ａ）に接触可能な電子回路（１４）の面上に接着手段（２４）を塗布する接着塗布手段が形成されていることを特徴とする請求項１８，２２又は２３に記載の装置。
【請求項２５】
全紙（２２）が多重シート（２０）に供給可能であり、この多重シート（２０）は本状の公文書（２）を製造するために個別シートに分割可能である装置において、
多重シート（２０）を個別シートに分割する前に、電子回路（１４）を多重シート（２０）の一番上の全紙（２２）の第１及び第２紙片（２２ａ，２２ｂ）に固定する固定手段が形成されていることを特徴とする請求項２２〜２４のいずれか１項に記載の装置。
【請求項２６】
電子回路（１４）の縦寸法及び横寸法が、内側（１０）の寸法にほぼ一致することを特徴とする請求項１６〜２５のいずれか１項に記載の装置。
【請求項２７】
表外面及び裏外面（４，６）並びに電子回路（１４）を有する本状の公文書、特に身分証明書において、電子回路（１４）は、これらの両外側（４，６）間で本状の公文書（２）の内部でこの公文書（２）に固定されていることを特徴とする公文書。
【請求項２８】
両外側（４，６）間に存在する少なくとも１つの内側をさらに有する公文書において、電子回路（１４）は、少なくとも１つの内側（１０ａ；１０ｂ）に装着されていることを特徴とする請求項２７に記載の公文書。
【請求項２９】
電子回路（１４）は、公文書（２）の内部に固定され、少なくとも１つの内側（１０ａ；１０ｂ）によって覆われ、特にこの内側（１０ａ；１０ｂ）に接合されていることを特徴とする請求項２８に記載の公文書。
【請求項３０】
電子回路（１４）は、少なくとも１つの内側（１０ａ；１０ｂ）に接着されていることを特徴とする請求項２８又は２９に記載の公文書。
【請求項３１】
少なくとも２つの内側（１０ａ，１０ｂ）を有する公文書において、
電子回路（１４）は、隣接した２つの内側（１０ａ，１０ｂ）間でそれぞれこれらの内側（１０ａ，１０ｂ）に固定されていることを特長とする請求項２８〜３０のいずれか１項に記載の公文書。
【請求項３２】
内側（１０ａ，１０ｂ）が接合手段（１２）、特に綴目によって接合されている公文書において、
電子回路（１４）は、本状の公文書（２）の中央に配置されていることを特徴とする請求項３１に記載の公文書。
【請求項３３】
電子回路（１４）の縦寸法及び／又は横寸法は、内側（１０）の寸法にほぼ一致にほぼ一致することを特徴とする請求項２８〜３２のいずれか１項に記載の公文書。
【請求項３４】
電子回路は、マイクロチップ及び支持要素（１４）を有し、このマイクロチップは、この支持要素（１４）中に設置されていることを特徴とする請求項２７〜３３のいずれか１項に記載の公文書。
【請求項３５】
マイクロチップの面積は、支持要素（１４）の面積よりも小さいことを特徴とする請求項３４に記載の公文書。
【発明の詳細な説明】
【技術分野】
【０００１】
本発明は、本状の公文書、特に少なくとも１つの表外面と１つの裏外面を有する身分証明書中に電子回路を組み込むための方法と装置並びにこの本状の公文書に関する。
【背景技術】
【０００２】
身分証明書の信頼性を改善するため、マイクロチップが身分証明書中に組み込まれ得る。個人に関するデータ及び生物測定学的なデータが、このマイクロチップ内に記憶される。米国では、2004年10月01日以降はこのようなマイクロチップを有する身分証明書を入国時に提示することが要求される。さもなければ、ビザを入国前に申請する必要がある。現在、このようなマイクロチップを身分証明書内に組み込むことが、いろいろな国で要求されている。国際民間航空機関の基準では、人に関するデータ及び生物測定学的データに対して必要な記憶容量は32〜64キロバイトの大きさになくてはならないことを規定している。
【０００３】
今日まで以下の解決手段が公知である：
−身分証明書の形よりも小さいマイクロチップが、身分証明書の見返しとカバーとの間に閉じ込められる。この公知の解決手段の場合、マイクロチップがカバーを通じて痕跡を残すことが欠点である。さらに、比較的僅かな機械的保護しかマイクロチップに対して実現されない。
−別の公知の解決手段の場合、マイクロチップがカバーの材料中に閉じ込められることによって、マイクロチップが身分証明書のカバー中に組み込まれる。この解決手段によって、身分証明書の製造時に大幅な追加の経費を強いる必要がない。確かにこの解決手段の場合、最大で８キロバイトの容量のマイクロチップが組み込まれ得る。しかしこのことは不十分である。
−もう１つの従来の解決手段の場合、マイクロチップがポリカーボネートのカード中に組み込まれる。このポリカーボネートのカードは、若干の国ではパスポートで使用され、通常に読取り可能でありかつ機械的に読取り可能なデータを格納している。ここでも、最大容量が８キロバイトに制限されている。もう１つの欠点は、２つの個人身分証明書要素が不変に結合される点である。その結果、例えばポリカーボネートのカードだけが偽造に対して改竄されうる。
【発明の開示】
【発明が解決しようとする課題】
【０００４】
本発明の課題は、従来の技術の上述した欠点がほぼ回避される解決手段を提供することにある。
【課題を解決するための手段】
【０００５】
この課題は、本発明の第１の側面により、少なくとも１つの表外面と１つの裏外面を有する本状の公文書中に電子回路を組み込む方法において、電子回路が、これらの両外面間で本状の公文書内部でこの公文書に固定されることを特徴とする方法によって解決される。
【０００６】
さらにこの課題は、本発明の第２の側面により、１つの表外面と１つの裏外面を有する本状の公文書中に電子回路を組み込む装置において、電子回路をこれらの両外面間で本状の公文書の内部でこの公文書に固定する固定手段を特徴とする装置によって解決される。      
【０００７】
最後に、本発明の第３の側面によるこの課題を解決するため、表外面と裏外面を有し、そして電子回路を有する本状の公文書が提唱を提唱する。この公文書の場合、電子回路が、これらの両外面間でこの本状の公文書内部でこの公文書に固定されている。
【０００８】
この本発明の解決手段には、いろいろな利点がある。両外面間で本状の公文書内部で電子回路を本発明にしたがって固定することによって、均一な本が作られる。激しくなる磨耗に曝されうる隆起が、公文書のカバー内にない。さらに、電子回路と公文書の追加の個人紙面とが互いに分離されて配置される。その結果、両要素が偽造のために改竄されても、これによって偽造が困難になる。
【０００９】
本発明は、例えばパスポート，許可証等のような本状の身分証明書用に特に適している。その一方で、特に公文書が信頼性に関係する場合、本発明は、明らかにその他のあらゆる種類の本状の公文書でも使用できる。そのため、例えば貯金通帳，小切手帳等でも使用できる。
【００１０】
本発明のその他の好適な構成は、従属請求項中に記載されている。
【００１１】
したがって、電子回路が、本状の公文書の少なくとも１つの内側に目的に合わせて装着され得、特に少なくとも１つの内側に貼付され得る。
【００１２】
別の好適な構成の場合、電子回路が、公文書の内側に固定され、少なくとも１つの内側によって覆われ、特にこの内側に接合され得る。この場合、例えば電子回路を隠して配置するため、例えば合成樹脂から成る個別のシート又は小さいプレート面又は中にある電子回路を公文書中に組み込み、次いで少なくとも１つの内側に例えば貼付によって固定してもよい。
【００１３】
本発明の特に好適な構成は、電子回路が隣接した２つの内側の間でこれらの内側に固定され、特にこれらの内側に貼付されることを特徴とする。こうして、隣接した２つの内側とこれらの内側の間にある電子回路とから形成される新しくて若干より厚い紙面が作られる。既存の通常の内側を必ず使用する必要がない；この目的に対して固定すべき紙又は薄紙から成る個別の全紙を使用することも考えられる。
【００１４】
本状の公文書の外側と内側が接合手段、特に綴目によって接合される上述したその他の構成の場合、電子回路が、本状の公文書の中央に配置される。こうして、接合手段を隠すことができる。このことは、同時に偽造を困難にする。
【００１５】
内側の全紙を製造するために提供される本発明のもう１つの構成は、電子回路が全紙の第１紙片上に敷設され、この第１紙片上に固定され、引き続きこの全紙の隣接した第２紙片がこの全紙の第１紙片の上に折り畳まれるか又はこの全紙の第１紙片がこの全紙の第２紙片の上に折り畳まれ、これによって電子回路が第２紙片面に固定されることを特徴とする。この内側の全紙は、同一方向に相並んでいる少なくとも２つの紙片を有する。これらの紙片の縦寸法と横寸法は、そこから製造すべき内側の寸法に少なくとも一致する。この場合、電子回路をこの全紙の第１紙片上に配置する前に、接着手段をこの全紙の第１紙片に設けなくてはならない。遅くとも全紙の第１紙片を第２紙片上に折り畳む前に、特に電子回路を第１紙片上に配置する直前に、第２紙片を同様に接着手段を設けなくてはならない。その代わりに又はさらに、電子回路を全紙の第１紙片上に配置する前に、第１紙片に接触可能なこの電子回路の少なくとも一部の面に接着手段を設けること、及び遅くともこの全紙の第２紙片を第２紙片上に折り畳む前に、特にこの電子回路を第１紙片上に配置する直前に、第２紙片に接触可能なこの電子回路の少なくとも一部の面に接着手段を設けることも考えられる。こうして、電子回路を隣接した両内側に特に簡単に貼付することができる。
【００１６】
一般に全紙は、多重シートで供給される。これらの多重シートは、本状の公文書を製造するために複数の個別シートに分割される。この場合、好ましくは、個別シートに分離する前に、多重シートの一番上の全紙の第１紙片上と第２紙片上に電子回路を固定しなくてはならない。したがって、電子回路の本発明による接合及び固定が、多重シートを個別シートに分離する前に開始する。すなわちこの時点では、製品がまだ平坦で折り畳まれていない半製品であり、それ故に電子回路の特に簡単な装着を可能にする。これによって、電子回路を本発明にしたがって製造過程中に簡単に配置して固定することができる。電子回路を有するこのシートは、引き続き分離され、折り畳まれ、次いで切断されるか又はその他の方法でさらに加工される。この場合、最初に折り畳み、次いで多重シートを分離することも考えられる。
【００１７】
特に、電子回路の縦寸法及び／又は横寸法は、内側の寸法にほぼ一致する。これによって、電子回路は、本状の公文書の大きさをほぼ有し、それ故に公文書中に特に簡単に組込むことができる。
【００１８】
電子回路は、好ましくはマイクロチップ及び支持要素を有する。特に、マイクロチップは支持要素内に設置される。これによって、電子回路は同じ厚さを有する。支持要素が特に完全形状でありうることは、マイクロチップ自体も完全形状でなくてはならないことを意味しない。むしろ、マイクロチップの面積が支持要素の面積よりも小さいことが考えられる。これによって、支持要素は、多数の穿孔のようなさらなるステップで加工され得る。しかしこの場合、マイクロチップ自体は破損しない。
【００１９】
以下に、本発明の好適な実施の形態を図面に基づいて詳しく説明する：
【発明を実施するための最良の形態】
【００２０】
図１中には、本状のパスポート２の好適な構成の横断面が示されている。このパスポート２は、表側４及び裏側６を有する。この表側４及びこの裏側６は、本の背部分７を介して互いに一体的に接合され、共通のパスポートのカバー８によって形成されている。多数の内側１０が、表側４と裏側との間の図１中に開かれた状態で示されたパスポート２の内部に配置されている。この示された実施の形態では、これらの内側１０は、表側４と裏側６と共に本の背部分７の領域内で綴目１２によって接合されている。
【００２１】
さらにパスポート２は、マイクロチップを有する。このマイクロチップ配置は、小さいプレート状のチップキャリヤ１４とマイクロチップとから構成される。マイクロチップは、チップキャリヤ１４中に含まれ、それ故に図１中で識別不可能である。特にチップキャリヤ１４は、例えばＰＥＴ又はポリカーボネートのような合成樹脂製である。このチップキャリヤ１４は、図１中に示された実施の形態では小さいシートを形成する。しかし、チップカード１４用の材料として紙又は厚紙を使用することが考えられる。チップキャリヤ１４内にあるマイクロチップの面積は、チップキャリヤ１４の面積よりも小さい。
【００２２】
図１からさらに分かるように、新しくて若干より厚い内側がパスポート２の中央に実際に精確に作られるように、チップキャリヤ１４が、パスポート２の中央の両内側１０ａ，１０ｂに接着されている。チップキャリヤ１４がこの配置でパスポート２の内部に固定されるだけではなくて、同時に綴目１２が隠される。このことは、偽造を困難にする。
【００２３】
この示された実施の形態では、チップカード１４が内側１０、すなわちパスポートの大きさをほぼ有する。しかし、チップキャリヤ１０の面積を内側１０の面積よりも小さく形成することも明らかに考えられる。既に上述したようにマイクロチップがチップキャリヤ１４中に作られることによって、チップキャリヤ１４が均一な厚さを有する。これによって、中央の両内側１０ａ，１０ｂとその間にあるチップキャリヤ１４とによって形成された共通のページが、パスポート２内に目立たないように完全に適合する。その代わりに、マイクロチップをチップキャリヤ上に配置することも考えられる。この場合、確かに相当する隆起を我慢しなくてはならない。
【００２４】
さらに、チップキャリヤ１４を図１中に例示的に示されているように中央の両内側１０ａ，１０ｂに接着するのではなくて、別の隣接した内側に接着することが考えられる。チップキャリヤ１４が、これらの別の内側の間に配置される。確かにこの実施の形態の場合、綴目１２がパスポート２の中央で目視可能である点を我慢する必要がある。同様に、場合によっては、チップキャリヤ１４を内側１０の片面だけに固定することで済む。最後に、チップキャリヤ１４を固定するためには、存在する内側１０が必ず使用される必要はなくて、これに対して縫いつけられた若干の全紙を使用することも考えられる。この全紙は、例えば紙又は薄紙から成り、場合によってはマイクロチップ又はチップキャリヤ１４の全体を隠すため、隣接した両内側のうちの少なくとも１つの内側に又はそれ自体に接着され得る。それ自体で接着する場合、チップキャリヤ１４が、内側１０よりも大きい、例えば広い形で縫いつけられ、内側１０と綴目１２からはみ出る部分が別の部分に接着される。
【００２５】
チップキャリヤ１４を保持する内側に個人データを印刷してもよい。しかし、チップキャリヤ１４の固定に使用されない内側１０に個人データを印刷することが、偽造の信頼性を向上するために重要である。その代わりに、表側４及び／又は裏側６を利用してもよい。こうして、チップキャリヤ１４とパスポート２の個人のページとが互いに分割されている。その結果、偽造のときにパスポート２のこれらの両要素が改竄されうるものの、偽造がこれによって困難になる。
【００２６】
チップキャリヤ１４がこの示された実施の形態で完全形状であることは、マイクロチップ自体も完全形状でなくてはならないことを意味しない。既に上述したように、マイクロチップの面積は、チップキャリヤ１４の面積よりも小さくてもよい。この場合、チップキャリヤ１４が、例えば多数の穿孔のようなさらなるステップで加工され得るように、マイクロチップがチップキャリヤ１４中に配置され得る。しかしこの場合、マイクとチップ自体は破損しない。その代わりに、チップキャリヤ１４の全体を電子回路を組み込むために使用することも明らかに考えられる。この場合、確かにチップキャリヤ１４に対する穿孔加工や類似の切削加工は不可能である。
【００２７】
以下に、上述したパスポート２を製造する方法を詳しく説明する。最初に、個々の全紙が、積み重ねられて縫い合わせられる。これらの個々の全紙は、一般に完成したパスポートの形よりも若干大きく要求される。本状のパスポートのまっすぐな外側縁部が、後の裁断によって得られる。機械の効率を上げるため、これらの個々の全紙は、多重シートから成る。これらの多重シートは、多数のシートを相前後して有する。そのため、多重シートが分割される。こうして作られた個別シートが、折り畳まれ、パスポートの完成した形に切断される。この場合、最初に折り畳み、次いで多重シートを分割することが可能である。
【００２８】
図２中に概略的に示されているチップキャリヤ１４の接着は、分割前の開始する。この時点では、製品がまだ平坦で折り畳まれていない半製品である。この時点は、図２ａ中に示されている。この図２ａは、積み重なった多重シート２０を断面で示す。この多重シート２０の一番上の全紙２２が、第１紙片２２ａ及び第２紙片２２ｂを有する。この示された状態では、シートが既に縫い付けられている。この場合、綴目１２が、第１紙片２２ａを第２紙片２２ｂから分離し、このときに境界線をこれらの両紙片２２ａ，２２ｂ間に形成する。さらに、パスポートのカバー８が、縫いつけられたシートの裏側上に同様に既に貼り合わせられている。この裏側は、図２ａでは多重シート２０の下側を形成する。
【００２９】
接着手段２４が、図２ｂにしたがって多重シート２０の内側の全体に施される。この内側は、図２ｂでは一番上の全紙２２の表面を形成する。例えば常温用にかわ又は移動テープが、接着手段２４として使用され得る。全ての内側又は外側が接着剤を有する代わりに、接着剤２４を紙片２２ａ，２２ｂだけに全体に又は点状に施すことが同様に考えられる。
【００３０】
引き続き、−場合によっては多重シート状の−チップキャリヤ１４が、供給され、一番上の全紙２２のまだ開かれている本の半分を形成する第１紙片２２ａ上に適切に置かれ、既に存在する接着手段２４によって適切に接着される。この状態は、図２ｃ中に示されている。引き続き、図２ｄから分かるように、チップキャリヤ１４が、持ち上げられ、向き合うページの方向に向けて折り畳まれる。この場合、チップキャリヤ１４は、一番上の全紙２２の既に接着された第１紙片２２ａを利用する。こうして、この第１紙片２２ａは、第２紙片２２ｂの方向に向けて折り畳まれる。第１紙片２２a 後で完成したパスポート２の一方の内側１０ａを形成する（図１参照）。第２紙片２２ｂは、後で完成したパスポート２の他方の内側１０ｂを形成する。
【００３１】
チップキャリヤ１４が向き合うページに向けて折り畳まれた後に、このチップキャリヤ１４は、一番上の全紙２２の第２紙片２２ｂ上に置かれ、同様にそこに既に存在する接着手段２４によってこの第２紙片２２ｂに接着される。この状態は、図２ｅ中に示されている。
【００３２】
この点に関しては、接着手段２４を全紙２２上にではなくて、その代わりにチップキャリヤ１４上に塗布してもよい。全紙２２上とチップキャリヤ１４上への接着手段の塗布を組合わせることも同様に考えられる。最後に、チップキャリヤ１４に接着されるため、チップキャリヤ１４を有するページではなくて、向き合うページを折り返すか又は折り畳むことも可能である。
【００３３】
引き続き、チップキャリヤ１４を有するシートが、例えば分離され、折り畳まれそして切断されることによって、このシートが既に上述したように適切にさらに加工される。チップキャリヤ１４が、この別に加工中に所望の完成した形に同様に同時に切断され得る。
【００３４】
一般に、多重シートは例えばＤＩＮ−Ａ４サイズである一方で、完成したパスポートは例えばＤＩＮ−Ａ６サイズである。したがって、開かれたパスポートの相並んでいる２枚のページが、例えばＤＩＮ−Ａ５の面を必要とする。その結果、２つの異なるパスポートの２つのページ対が、１つの多重シートに一致する。これらのパスポートは、分離前はその一方の縁部（後の一方のパスワードの下の縁部及び後の他方のパスポートの上の縁部）に沿って分離前に互いに接合されている。このような配置の場合、多重シートが両パスポートを形成するために適切に分離される前に、これらの両パスポート用の２つのチップを有する２倍の高さのチップキャリヤが、一番上の多重シートの一方の半分に接着され、次いで他方の半分に接着され得る。
【００３５】
図３は、二重シート状のチップキャリヤ３４の例を示す。このチップキャリヤ３４は、１つのマイクロチップごとの互いに分離された２つの紙片３６を有し、例えばアンテナも有する。この二重シート状のチップキャリヤ３４は、いわゆる横断面３８によって仕切られ、両紙片３６間の中央で分割切断線４０によって分割される。分割切断線４０に沿って分割切断し、完成サイズ４２に切断することによって、このとき、２枚の個別のチップキャリヤ１４が作られる。図３からさらに分かるように、このチップキャリヤ１４の総面積が、二重シート状のチップキャリヤ３４の面積よりも少し小さい。
【図面の簡単な説明】
【００３６】
【図１】本発明の好適な構成にしたがって完成した開かれた状態のパスポートの切断面を概略的に示す。
【図２ａ】チップキャリヤを多重シートの一番上の全紙上に接着する多数のステップを概略的に示す。
【図２ｂ】チップキャリヤを多重シートの一番上の全紙上に接着する多数のステップを概略的に示す。
【図２ｃ】チップキャリヤを多重シートの一番上の全紙上に接着する多数のステップを概略的に示す。
【図２ｄ】チップキャリヤを多重シートの一番上の全紙上に接着する多数のステップを概略的に示す。
【図２ｅ】チップキャリヤを多重シートの一番上の全紙上に接着する多数のステップを概略的に示す。
【図３】好適な実施の形態による二重シート状のチップキャリヤの正面を概略的に示す。
【符号の説明】
【００３７】
２  パスポート
４  表側
６  裏側
７  背部分
８  パスポートのカバー
１０  内側
１０ａ  中央の内側
１０ｂ  中央の内側
１２  綴目
１４  チップキャリヤ
２０  多重シート
２２  全紙
２２ａ  第１紙片
２２ｂ  第２紙片
２４  接着手段
３４  二重シート状のチップキャリヤ
３６  紙片
３８  横断面
４０  分割切断線
４２  完成サイズ
【図１】
2005088569.tif 000003
【図２ａ】
2005088569.tif 000004
【図２ｂ】
2005088569.tif 000005
【図２ｃ】
2005088569.tif 000006
【図２ｄ】
2005088569.tif 000007
【図２ｅ】
2005088569.tif 000008
【図３】
2005088569.tif 000009